(57)【要約】【課題】  設置した下方のユニットの上に、上方のユニットをクレーン等で吊り降ろす際、上方のユニットを確実に正確な位置にガイドし、かつスムースに上方のユニットを降ろすことが出来る。【解決手段】  上下のユニットを積み重ねてコンクリート製品を組み立てる際に用いられる位置合わせ治具１は板状の支持体５の一側を略直角に折り曲げて折曲片とし、この支持体５及び折曲片の角部上縁から相互に直角に位置するガイド片６、６を設け、これらのガイド片６は上方外側に突出し、また、前記一方のガイド片６と間隔をあけて前記支持体５の上縁から円弧状ガイド片７を設け、当該円弧状ガイド片７は上方外側に突出し、前記支持体に切り欠きを設け、下方のユニット１０ｂの側面のインサートに前記支持体の切り欠きを合わせてボルト１４を螺着して前記支持体５を下方のユニットの側面の角部に取り付ける。【選択図】        図１
2008163563.tif 000002
【特許請求の範囲】
【請求項１】
コンクリート製の複数のユニットを上下に積み重ねてコンクリート製品を組み立てる際に用いられる位置合わせ治具であって、
当該位置合わせ治具は、略四辺形の板状の支持体の一側を略直角に折り曲げて折曲片とし、この支持体及び折曲片の角部上縁から相互に直角に位置するガイド片を設け、これらのガイド片は上方外側に突出し、また、前記一方のガイド片と間隔をあけて前記支持体の上縁から円弧状ガイド片を設け、当該円弧状ガイド片は上方外側に突出し、前記支持体に孔又は切り欠きを設け、
下方のユニットの側面のインサートに前記支持体の孔又は切り欠きを合わせてボルトを当該インサートに螺着して前記支持体を前記下方のユニットの側面に取り付けた際、当該支持体の折曲片は下方のユニットの上部角部に沿って直角に折曲し、前記各ガイド片及び円弧状ガイド片は前記下方のユニットの上縁から上方外側に突出する構成であることを特徴とする、位置合わせ治具。
【請求項２】
前記各ガイド片は背面から下方の支持板又は折曲片に渡した支持棒を設け、前記円弧状ガイド片はその一側縁に折曲縁を有することを特徴とする、請求項１に記載の位置合わせ治具。
【請求項３】
コンクリート製の複数のユニットを上下に積み重ねてコンクリート製品を組み立てる方法において、
前記請求項１又は２の位置合わせ治具を下方のユニットの相対向する側面の各インサート箇所に取り付け、これにより各位置合わせ治具における互いに直角を成す二つのガイド片が下方のユニットの角部外側に夫々位置するようにし、前記円弧状ガイド片が下方のユニットの側面外側に位置するようし、
前記位置合わせ治具を装着した下方のユニットの上方に、上方のユニットを吊り上げ、各位置合わせ治具のガイド片及び円弧状ガイド片で囲まれた中に上方のユニットを降ろすことを特徴とする、コンクリート製品の組立て方法。
【発明の詳細な説明】
【技術分野】
【０００１】
この発明は、上下に分割されたコンクリート製品を現場等で組み立てる際に用いる位置合わせ治具及びこれを用いたコンクリート製品の組み立て方法に関するものである。
【背景技術】
【０００２】
従来、コンクリート製の大型ハンドホール等は、工場での製造や現場への運搬を考慮して、複数のユニットに分割して製造され、これを現場に持っていって、現場で製品に組み立てるものがある。例えば、ハンドホールを上下のユニットに分割してある場合は、地面を掘削して穴を設け、下方のユニットをクレーン等で吊り上げて当該穴に設置し、その後、クレーンなどによって上方のユニットを吊り上げ、下方のユニットの上に降ろしながら設定する。
【０００３】
ハンドホール等の中空のコンクリート製品では、上方のユニットを下方のユニットに設定する際に、接続部分がずれてしまわないようにしなければならない。従って、上方のユニットをクレーンで降ろす場合、設置した下方のユニットの上に正確に上方のユニットを降ろして接続しなければならず、これには熟練した作業員が上方のユニットを誘導し、手で押さえて、位置を合わせて降ろしていかなければならない。その際、作業員が下方のユニットと上方のユニットの間に手を挟んだり、上方のユニットを吊り下げているワイヤーとユニットの間に手をはさんだり、吊り下げられているユニットが風であおられて作業員にぶつかったりするおそれがあり、極めて熟練を要する危険な作業となっていた。また、この作業には、クレーンを操作する者と位置合わせをする者と最低で２名の作業員が必要であった。
【０００４】
そこで、前記上方のユニットを、設置した下方のユニットの上に設置する際に、下方のユニットの各側面に位置合わせ具を設け、当該位置合わせ具は、外側上方に開化したガイド面を有し、上方のユニットをクレーンで降ろしていくと、前記位置合わせ具のガイド面に上方のユニットの下端がガイドされて降りて行き、上方のユニットは下方のユニットの上に正確に接合される構成の位置合わせ具及びこれを用いた組み立て方法が開発されている。
【０００５】
【特許文献１】特開平７−３１７０９０号公報
【発明の開示】
【発明が解決しようとする課題】
【０００６】
しかしながら、上記特許文献１に示す位置合わせ具は、平板状のものの上部を、外側に傾斜させて突出部とし、当該突出部の内面をガイド面としたものであり、この位置合わせ具を、コンクリート製の下方のユニットの４つの各側面の中央に取り付けるため、上方のユニットを降ろしていくと、これらの位置合わせ具があっても、上方のユニットと下方のユニットがずれるおそれがある。また、各位置合わせ具のガイド面を有する突出部は、単に平板を折り曲げたものであるため、強度が弱く、上方のユニットが強くぶつかると変形するおそれがある。
また、各位置合わせ具のガイド面は扁平な板状のものであるため、上方のユニットの下端がこのガイド面に当たっても、当該当接した箇所で引っ掛かり、スムースに降りていかない場合がある。
【０００７】
そこで、この発明は前記従来技術を考慮したものであって、ハンドホール等のコンクリート製品を複数のユニットに分離した各ユニットを組み立てる場合に、設置した下方のユニットの上に、上方のユニットをクレーン等で吊り降ろす際、上方のユニットを確実に正確な位置にガイドし、かつスムースに上方のユニットが降りることが出来る位置合わせ治具及びこれを用いたコンクリート製品の組み立て方法を提供し、前記課題を解決するものである。
【課題を解決するための手段】
【０００８】
前記目的を達成するため、請求項１の発明は、コンクリート製の複数のユニットを上下に積み重ねてコンクリート製品を組み立てる際に用いられる位置合わせ治具であって、当該位置合わせ治具は、略四辺形の板状の支持体の一側を略直角に折り曲げて折曲片とし、この支持体及び折曲片の角部上縁から相互に直角に位置するガイド片を設け、これらのガイド片は上方外側に突出し、また、前記一方のガイド片と間隔をあけて前記支持体の上縁から円弧状ガイド片を設け、当該円弧状ガイド片は上方外側に突出し、前記支持体に孔又は切り欠きを設け、下方のユニットの側面のインサートに前記支持体の孔又は切り欠きを合わせてボルトを当該インサートに螺着して前記支持体を前記下方のユニットの側面に取り付けた際、当該支持体の折曲片は下方のユニットの上部角部に沿って直角に折曲し、前記各ガイド片及び円弧状ガイド片は前記下方のユニットの上縁から上方外側に突出する構成である、位置合わせ治具とした。
【０００９】
また、請求項２の発明は、前記請求項１の発明において、前記各ガイド片は背面から下方の支持板又は折曲片に渡した支持棒を設け、前記円弧状ガイド片はその一側縁に折曲縁を有する、位置合わせ治具とした。
【００１０】
また、請求項３の発明は、コンクリート製の複数のユニットを上下に積み重ねてコンクリート製品を組み立てる方法において、前記請求項１又は２の位置合わせ治具を、下方のユニットの相対向する側面の各インサート箇所に取り付け、これにより各位置合わせ治具における互いに直角を成す二つのガイド片が下方のユニットの角部外側に夫々位置するようにし、前記円弧状ガイド片が下方のユニットの側面外側に位置するようにし、上方のユニットを、前記位置合わせ治具を装着した下方のユニットの上方に吊り上げ、各位置合わせ治具のガイド片及び円弧状ガイド片で囲まれた中に上方のユニットを降ろす方法とした。
【発明の効果】
【００１１】
請求項１の発明を用いた場合、下方のユニットの各角部の隣接する側面に沿って相互に直角な二つのガイド片を有るため、吊り下げられた上方のユニットは下端の四隅の角部が夫々前記二個一組のガイド片にガイドされ、正確な位置に導かれる。従って、上方のユニットは下方のユニットの所定箇所に確実に接続することができる。また、各側面に円弧状ガイド片を有するため、これらの各円弧状ガイド片の湾曲面に沿って上方のユニットの下端縁はスムースに降りてくることができ、上方のユニットの下端縁がカイド片に引っ掛かって降りてこないといったトラブルが生じるおそれがない。
【００１２】
また、当該位置合わせ治具は、上方のユニットと下方のユニットを連結する際使用する下方のユニットの側面の既存のインサートを利用して、一側が直角に折れ曲がった支持体を、下方のユニットに取り付けるため、ボルト１本で所定箇所に確実、強固に取り付けることが出来、取り付けが容易かつ迅速に行える。また、上下のユニットの側面にあるインサートは、当該側面の両側縁からの距離が、ハンドホールの大きさに関わり無く、一定であるためこの発明の位置合わせ治具はハンドホールのどんなサイズのものにも使用でき、汎用性が高い。
【００１３】
また、請求項２の発明は、前記効果に加えて、各ガイド片の背面に支持棒を設け、また、円弧状ガイド片の一側縁に沿って折曲縁を有するため、これらのガイド片及び円弧状ガイド片の強度が高く、上方のユニットが左右に振れながら降りてきてガイド片又は円弧状ガイド片に強くぶつかっても、ガイド片や円弧状ガイド片が変形したりしない。
【００１４】
また、請求項３の発明では、前記効果に加え、作業員の介添え無しに、下方のユニットの所定位置に上方のユニットを正確に取り付けることができる。従って、作業員を危険にさらすことなく、迅速に取り付けることが出来、組み立て効率が高い。即ち、上方のユニットを、前記位置合わせ治具を装着した下方のユニットの上方に吊り下げ、各位置合わせ治具のガイド片及び円弧状ガイド片で囲まれた中に上方のユニットを降ろすことにより、四隅の位置合わせ治具にガイドされて上方のユニットは自動的に下方のユニットの所定箇所に正確に接続される。従って、従来のように、組み立てに当って、上方のユニットを作業員が手で押さえたりしてガイドし、下方のユニットに接続させることはない。従って、組み立て作業を安全かつ正確、迅速に行うことが出来る。
【発明を実施するための最良の形態】
【００１５】
この発明は、コンクリート製の複数のユニットを上下に積み重ねてコンクリート製品を組み立てる際に用いられる位置合わせ治具であって、当該位置合わせ治具は、略板状の支持体の一側を略直角に折り曲げて折曲片とし、この支持体及び折曲片の角部上縁から相互に直角に位置する二つのガイド片を設け、これらのガイド片は上方外側に突出し、また、前記一方のガイド片と間隔をあけて前記支持体の上縁から円弧状ガイド片を設け、当該円弧状ガイド片は上方外側に突出し、前記支持体に孔又は切り欠きを設け、下方のユニットの側面のインサートに前記支持体の孔又は切り欠きを合わせてボルトを当該インサートに螺着して前記支持体を前記下方のユニットの側面に取り付けた際、当該支持体の折曲片は下方のユニットの上部角部に沿って直角に折曲し、前記各ガイド片及び円弧状ガイド片は前記下方のユニットの上縁から上方外側に突出する位置合わせ治具であり、これにより上方のユニットを下方のユニットに確実かつ容易に接続することが出来るものである。
【実施例１】
【００１６】
図２はこの発明の位置合わせ治具１を示し、当該位置合わせ治具１は二つのアングル材２を間隔をあけて縦に設け、一方のアングル材２はその折曲片を後方に位置させ、他方のアングル材２はその折曲片を前方に位置させ、これらのアングル材２の正面の上下に、二つの水平アングル材３を間隔をあけて渡して設け、下方の水平アングル材３の下縁に四辺形の切り欠き４を設け、以上の部材で支持体５を形成する。
【００１７】
前記一方のアングル材２の各片の上縁から、相互に直角に位置する、板状のガイド片６、６を各片と一体に設け、これらの各ガイド片６は、前記一方のアングル材２の上方外側に夫々突出している。また、前記他方のアングル材２の上縁から、当該アングル材２の正面をなす一片が上方前方に円弧状に湾曲した円弧状ガイド片７を設け、この円弧状ガイド片７はその外側の一側縁に折曲縁７ａを有している。当該折曲縁７ａは外縁から複数の切り込みを入れて円弧状ガイド片７にそって曲げたものである。
【００１８】
また、前記各ガイド片６の背面に各支持棒８の一端を固定し、その他端を、一方は上方の水平アングル材３に、他方は縦向きのアングル材２に夫々固定している。
【００１９】
図５は、この発明を用いるハンドホール１０の組み立て正面図であり、上下のユニット１０ａ、１０ｂに分割され、夫々の側面に設けたインサートを介して連結金具１１により、上下のユニット１０ａ、１０ｂを一体にしている。そこで、このようなハンドホール１０を現場で組み立てる際、まずクレーンにより下方のユニット１０ｂを吊り上げ、所定の位置に降ろして設置する。その際、図示は省略したが、当該下方のユニット１０ｂの各側面のインサートにアイボルトを螺着し、これらの各アイボルトにワイヤーをかけ、クレーンで吊り上げる。
【００２０】
その後、図２に示すように、前記下方のユニット１０ｂの各アイボルトを外し、側面角部に前記位置合わせ治具１の支持体５を当て、切り欠き４をインサート１２に合わせて、ワッシャー１３を装着したボルト１４を前記インサート１２に螺着する。これにより、前記支持体５の前記一方のアングル材２の折曲片が当該下方のユニット１０ｂの角部に沿って隣接する側縁に重合する。この様にして下方のユニット１０ｂの各側面の各インサート１２に前記位置合わせ治具１の支持体５を取り付ける。
【００２１】
これにより、各位置合わせ治具１のガイド片６及び円弧状ガイド片７は、図１に示すように下方のユニット１０ｂの上縁から上方外側に突出する。図３はこの状態の下方のユニット１０ｂの平面図である。この様に各位置合わせ治具１のガイド片６及び円弧状ガイド片７は下方のユニット１０ｂの四隅外側に設けられ、夫々外方に開化している。
【００２２】
そして、前記下方のユニット１０ｂと同様に、図１に示すように、上方のユニット１０ａの各側面のインサートにアイボルト１５を螺着し、これらの各アイボルト１５に玉掛けワイヤー１６を掛けてクレーン１７で前記下方のユニット１０ｂの上方に吊り上げ、そこから上方のユニット１０ａを降ろしていく。
【００２３】
その際、まず、四隅の直角に位置する各２つのガイド片６で、上方のユニット１０ａの各下端の角部が誘導され、次に、クレーン１７を降ろすと、上方のユニット１０ａは、図４に示すように、各円弧状ガイド片７の湾曲面にガイドされて下方のユニット１０ｂの真上に降りてきて正確な位置で接続される。
その際、上方のユニット１０ａの下端が各円弧状ガイド７に当たっても、各円弧状ガイド片７が湾曲しているため、当該当接箇所に引っ掛からず、スムースに上方のユニット１０ａはガイドされて所定の位置に落下する。
【００２４】
その上、各円弧状ガイド片７はその一側に折曲縁７ａを有し、この折曲縁７ａに外縁の複数個所から切り込みを設けているため、上方のユニット１０ａが円弧状ガイド片７の湾曲面に当たった際、上記折曲縁７ａの各切り込みの空隙が圧縮されて各円弧状ガイド片７が外側に開くが、その直後に弾性で当該折曲縁７ａは反発し、各円弧状ガイド片７は上方のユニット１０ａを押し戻し、当該上方のユニット１０ａは両側各２個の円弧状ガイド片７によって、下方のユニット１０ｂの真上に導かれて落下する。
【００２５】
なお、この発明の位置合わせ治具の支持体の構造は上記実施例のものに限らず、略四辺形の板状のもので良い。
【図面の簡単な説明】
【００２６】
【図１】この発明のコンクリート製品の上下のユニットの組み立て状況を示す側面図である。
【図２】この発明の位置合わせ治具を下方のユニットに取り付ける状態を示す斜視図である。
【図３】この発明の位置合わせ治具を装着した下方のユニットの平面図である。
【図４】この発明の下方のユニットの上に上方のユニットを下ろしている状態を示す説明図ある。
【図５】この発明を用いるハンドホールの組み立て側面図である。
【符号の説明】
【００２７】
図中、１：位置合わせ治具、２：アングル材、３：水平アングル材、
４：切り欠き、５：支持体、６：ガイド片、７：円弧状ガイド片、
８：支持棒、１０：ハンドホール、１０ａ：上方のユニット、
１０ｂ：下方のユニット、１１：連結金具、１２：インサート、
１３：ワッシャー、１４：ボルト、１５：アイボルト、
１６：玉掛けワイヤー、１７：クレーン
【図１】
2008163563.tif 000003
【図２】
2008163563.tif 000004
【図３】
2008163563.tif 000005
【図４】
2008163563.tif 000006
【図５】
2008163563.tif 000007